(57)【要約】【課題】入退室管理システムの読取手段と連動させてマイナスイオン又は芳香を発生させる。【解決手段】発生器付カードリーダ８によりユーザが携帯する識別カードが読み取られると、その読取データを取得する読取データ取得部１１と、読取データに付加されたカードリーダＩＤから特定される発生器付カードリーダ８に内蔵の発生器に対してマイナスイオンを発生させる発生指示情報を発生器コントローラ４へ送出することによって、マイナスイオンを発生させるよう制御する発生器制御部１２と、を有する。【選択図】図１
2013088053.tif 000002
【特許請求の範囲】
【請求項１】
室の入口近傍に設置された読取手段と、
室の入口近傍又は当該室内の少なくとも一方に対応させて設置され、マイナスイオン又は芳香を発生する発生手段と、
前記読取手段によりユーザが携帯する識別カードが読み取られたときに、マイナスイオン又は芳香を、読み取られた識別カードを携帯するユーザの近傍に設置された前記発生手段に発生させる発生制御手段と、
を有することを特徴とする入退室管理システム。
【請求項２】
前記発生手段は、前記読取手段の近傍に設置されており、
前記発生制御手段は、前記読取手段により識別カードが読み取られた時点でマイナスイオン又は芳香を前記発生手段に発生させることを特徴とする請求項１記載の入退室管理システム。
【請求項３】
前記発生手段は、前記読取手段に内蔵されていることを特徴とする請求項２記載の入退室管理システム。
【請求項４】
ユーザの識別情報と当該ユーザの室内における所在位置を特定する位置情報とが対応付けられたユーザ情報を記憶するユーザ情報記憶手段と、
前記各発生手段の室内における配設配置を特定する発生手段情報を記憶する発生手段情報記憶手段と、
を有し、
前記発生手段は、室内に複数設置されており、
前記発生制御手段は、前記ユーザ情報及び前記発生手段情報を参照することによって、マイナスイオン又は芳香を、前記読取手段により読み取られた識別カードを携帯するユーザの当該室内における所在位置近傍に設置された前記発生手段に発生させることを特徴とする請求項１記載の入退室管理システム。
【請求項５】
前記個人情報には、更に各ユーザ識別情報に、当該ユーザが嗜好する芳香を特定する芳香情報が対応付けられており、
前記発生制御手段は、前記発生手段が芳香を発生する手段である場合、前記個人情報を参照することによって、前記読取手段により読み取られた識別カードを携帯するユーザが嗜好する芳香を前記発生手段に発生させることを特徴とする請求項４記載の入退室管理システム。
【請求項６】
ユーザが携帯する識別カードから室の入口近傍に設置された読取手段により読み取られた読取データを取得する取得手段と、
前記取得手段により読取データが取得されたときに、読み取られた識別カードを携帯するユーザの近傍に設置されたマイナスイオン又は芳香を発生する発生手段にマイナスイオン又は芳香を発生させる発生制御手段と、
を有することを特徴とする入退室管理サーバ。
【請求項７】
コンピュータを、
ユーザが携帯する識別カードから室の入口近傍に設置された読取手段により読み取られた読取データを取得する取得手段、
前記取得手段により読取データが取得されたときに、読み取られた識別カードを携帯するユーザの近傍に設置されたマイナスイオン又は芳香を発生する発生手段にマイナスイオン又は芳香を発生させる発生制御手段、
として機能させるためのプログラム。
【発明の詳細な説明】
【技術分野】
【０００１】
本発明は、入退室管理システム、入退室管理サーバ及びプログラムに関する。
【背景技術】
【０００２】
近年では、健康増進効果やリラックス効果、あるいは癒し効果などを期待して、室内にマイナスイオンや芳香の発生器を載置する企業が存在している。
【０００３】
例えば、特許文献１では、人体センサを搭載し、人の入室を検知すると、所定の時間、芳香を自動的に発生させる芳香発生器が提案されている。
【０００４】
ところで、セキュリティの観点等から施設に入退室管理システムを導入する企業は少なくない。各室の出入口には、識別カードに記録されているデータを読み取る読取手段としてカードリーダが設置されており、施設利用者が入室時に、携帯する識別カードをカードリーダの読取面に近づけると、カードリーダは、その識別カードから当該利用者の識別情報等を読み取る。入退室管理システムは、カードリーダにより読み取られた利用者の識別情報を一括収集することで、施設の各利用者の所在位置を把握、管理する。
【先行技術文献】
【特許文献】
【０００５】
【特許文献１】特開平９−６２８８８号公報
【特許文献２】特開２００８−７５３４９号公報
【発明の概要】
【発明が解決しようとする課題】
【０００６】
本発明は、入退室管理システムにおいて室の入口近傍に設置される識別カードの読取手段と連動させてマイナスイオン又は芳香を発生させることを目的とする。
【課題を解決するための手段】
【０００７】
本発明に係る入退室管理システムは、室の入口近傍に設置された読取手段と、室の入口近傍又は当該室内の少なくとも一方に対応させて設置され、マイナスイオン又は芳香を発生する発生手段と、前記読取手段によりユーザが携帯する識別カードが読み取られたときに、マイナスイオン又は芳香を、読み取られた識別カードを携帯するユーザの近傍に設置された前記発生手段に発生させる発生制御手段と、を有することを特徴とする。
【０００８】
また、前記発生手段は、前記読取手段の近傍に設置されており、前記発生制御手段は、前記読取手段により識別カードが読み取られた時点でマイナスイオン又は芳香を前記発生手段に発生させることを特徴とする。
【０００９】
また、前記発生手段は、前記読取手段に内蔵されていることを特徴とする。
【００１０】
また、ユーザの識別情報と当該ユーザの室内における所在位置を特定する位置情報とが対応付けられたユーザ情報を記憶するユーザ情報記憶手段と、前記各発生手段の室内における配設配置を特定する発生手段情報を記憶する発生手段情報記憶手段と、を有し、前記発生手段は、室内に複数設置されており、前記発生制御手段は、前記ユーザ情報及び前記発生手段情報を参照することによって、マイナスイオン又は芳香を、前記読取手段により読み取られた識別カードを携帯するユーザの当該室内における所在位置近傍に設置された前記発生手段に発生させることを特徴とする。
【００１１】
また、前記個人情報には、更に各ユーザ識別情報に、当該ユーザが嗜好する芳香を特定する芳香情報が対応付けられており、前記発生制御手段は、前記発生手段が芳香を発生する手段である場合、前記個人情報を参照することによって、前記読取手段により読み取られた識別カードを携帯するユーザが嗜好する芳香を前記発生手段に発生させることを特徴とする。
【００１２】
本発明に係る入退室管理サーバは、ユーザが携帯する識別カードから室の入口近傍に設置された読取手段により読み取られた読取データを取得する取得手段と、前記取得手段により読取データが取得されたときに、読み取られた識別カードを携帯するユーザの近傍に設置されたマイナスイオン又は芳香を発生する発生手段にマイナスイオン又は芳香を発生させる発生制御手段と、を有することを特徴とする。
【００１３】
本発明に係るプログラムは、コンピュータを、ユーザが携帯する識別カードから室の入口近傍に設置された読取手段により読み取られた読取データを取得する取得手段、前記取得手段により読取データが取得されたときに、読み取られた識別カードを携帯するユーザの近傍に設置されたマイナスイオン又は芳香を発生する発生手段にマイナスイオン又は芳香を発生させる発生制御手段、として機能させるためのものである。
【発明の効果】
【００１４】
本発明によれば、入退室管理システムの読取手段と連動させることで、ユーザが携帯する識別カードを室の入口近傍に設置された読取手段に読み取らせたときに、マイナスイオン又は芳香を発生させることができる。
【００１５】
また、マイナスイオン又は芳香を読取手段近傍、すなわち室の入口で発生させることができる。
【００１６】
また、マイナスイオン又は芳香を、入室したユーザの所在位置近傍で発生させることができる。
【００１７】
また、識別カードを読取手段に読み取らせたユーザが嗜好する芳香を発生させることができる。
【図面の簡単な説明】
【００１８】
【図１】本発明に係る入退室管理システムの実施の形態１におけるシステム全体構成及びブロック構成を示した図である。
【図２】実施の形態１における発生器付カードリーダの概略構成図である。
【図３】実施の形態１における入退室管理サーバを形成するサーバコンピュータのハードウェア構成図である。
【図４】実施の形態１におけるカードリーダ情報記憶部に格納されているカードリーダ情報のデータ構成の一例を示した図である。
【図５】実施の形態１においてマイナスイオンを発生する発生制御処理を示したフローチャートである。
【図６】本発明に係る入退室管理システムの実施の形態２におけるシステム全体構成及びブロック構成を示した図である。
【図７】実施の形態２におけるユーザ情報記憶部のデータ構成の一例を示した図である。
【図８】実施の形態２における発生器情報記憶部のデータ構成の一例を示した図である。
【図９】実施の形態２において芳香を発生する発生制御処理を示したフローチャートである。
【発明を実施するための形態】
【００１９】
以下、図面に基づいて、本発明の好適な実施の形態について説明する。
【００２０】
実施の形態１．
図１は、本発明に係る入退室管理システムの実施の形態１におけるシステム全体構成及びブロック構成を示した図である。図１には、入退室管理サーバ１０とカードリーダコントローラ２と、発生器コントローラ４と、がネットワーク６で接続された構成が示されている。発生器付カードリーダ８は、部屋（室）１の各出入口に設置されるので、複数の出入口が設けられた部屋１には複数の発生器付カードリーダ８が設置される。発生器付カードリーダ８には、読取手段として機能するカードリーダと、発生手段として機能し、マイナスイオン又は芳香を発生する発生器とが搭載されており、カードリーダにはカードリーダコントローラ２が、発生器には発生器コントローラ４がそれぞれ接続される。施設内に複数の部屋１が存在しても、発生器付カードリーダ８と、各コントローラ２，４との接続関係は、各部屋とも同じでよいので、図１には、１台ずつ図示した。
【００２１】
図２は、本実施の形態における発生器付カードリーダ８の概略構成図である。発生器付カードリーダ８の表面には、非接触にて識別カードを読み取るカードリーダの読取面８１と、筐体内に内蔵されたマイナスイオン又は芳香を発生する発生器の発生口８２が設けられている。なお、本実施の形態における発生器は、マイナスイオンを発生するものとして説明する。発生器付カードリーダ８に含まれるカードリーダ及びマイナスイオン発生器自体の構成は、従前からある構成をそのまま使用してもよい。施設の利用者は、施設内においては識別カードを常時携帯しており、部屋１に入室する際に、発生器付カードリーダ８のカードリーダの読取面８１に識別カードを近づけて、識別カードに記録されている当該利用者の識別情報を読み取らせる。
【００２２】
図３は、本実施の形態における入退室管理サーバ１０を形成するサーバコンピュータのハードウェア構成図である。本実施の形態において入退室管理サーバ１０を形成するサーバコンピュータは、従前から存在する汎用的なハードウェア構成で実現できる。すなわち、コンピュータは、図３に示したようにＣＰＵ２１、ＲＯＭ２２、ＲＡＭ２３、ハードディスクドライブ（ＨＤＤ）２４を接続したＨＤＤコントローラ２５、入力手段として設けられたマウス２６とキーボード２７、及び表示装置として設けられたディスプレイ２８をそれぞれ接続する入出力コントローラ２９、通信手段として設けられたネットワークコントローラ３０を内部バス３１に接続して構成される。
【００２３】
図１に戻り、本実施の形態における入退室管理サーバ１０は、読取データ取得部１１、発生器制御部１２及びカードリーダ情報記憶部１３を有している。なお、入退室管理サーバ１０は、入退室管理機能等を有しているが、本実施の形態の説明に用いない機能ブロックは、図１から省略している。読取データ取得部１１は、取得手段として機能し、ユーザが携帯する識別カードから読み取られた読取データを取得する。発生器制御部１２は、発生制御手段として機能し、発生器付カードリーダ８により識別カードが読み取られることで読取データ取得部１１により読取データが取得されたときに、発生器コントローラ４に発生指示情報を送ることで、読み取られた識別カードを携帯するユーザの近傍に設置された発生器付カードリーダ８にマイナスイオンを発生させる。カードリーダ情報記憶部１３には、各部屋１に設置されている発生器付カードリーダ８に関する情報が格納されている。
【００２４】
図４は、本実施の形態におけるカードリーダ情報記憶部１３に格納されているカードリーダ情報のデータ構成の一例を示した図である。カードリーダ情報は、各発生器付カードリーダ８を識別する識別情報（カードリーダＩＤ）に、当該発生器付カードリーダ８が設置されている場所を特定する識別情報としての設置場所情報及び当該発生器付カードリーダ８に内蔵されている発生器を識別する識別情報（発生器ＩＤ）を対応付けて構成される。なお、カードリーダ情報には、当該発生器付カードリーダ８が接続されたカードリーダコントローラ２などの他の項目情報を含めてもよいが、本実施の形態の説明に用いない情報は省略している。
【００２５】
入退室管理サーバ１０における各構成要素１１，１２は、入退室管理サーバ１０を形成するコンピュータと、コンピュータに搭載されたＣＰＵ２１で動作するプログラムとの協調動作により実現される。また、カードリーダ情報記憶部１３は、入退室管理サーバ１０に搭載されたＨＤＤ２４にて実現される。もちろん、ＲＡＭ２３やネットワークを介してアクセス可能な他の記憶手段にて実現してもよい。
【００２６】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２７】
次に、本実施の形態においてマイナスイオンを発生する発生制御処理について図５に示したフローチャートを用いて説明する。
【００２８】
ユーザがいずれかの部屋１に入室する際、携帯している識別カードを発生器付カードリーダ８に近づけかざすと、発生器付カードリーダ８は、識別カードから当該利用者の識別情報を少なくとも読み取り、その読取データに、自己のカードリーダＩＤを付加して送出する。カードリーダコントローラ２は、接続された発生器付カードリーダ８から読取データが送信されてくると、それを入退室管理サーバ１０へ送る。
【００２９】
入退室管理サーバ１０における読取データ取得部１１が発生器付カードリーダ８から送られてきた読取データを取得すると（ステップ１１０）、発生器制御部１２は、読取データに付加されているカードリーダＩＤを取得することで識別カードを読み取った発生器付カードリーダ８を特定する（ステップ１２０）。そして、発生器制御部１２は、カードリーダ情報記憶部１３を参照することにより、取得したカードリーダＩＤに対応する発生器ＩＤを特定し、その特定した発生器ＩＤを含むマイナスイオンの発生指示情報を送出する（ステップ１３０）。発生器コントローラ４は、受信した発生指示情報に、接続された発生器付カードリーダ８に対応する発生器ＩＤが含まれている場合、その発生指示情報に応じて、接続されている発生器付カードリーダ８に内蔵された発生器にマイナスイオンを発生させるよう動作制御する。
【００３０】
本実施の形態によれば、以上のようにして、ユーザが識別カードを読み取らせると、その読み取らせた時点において発生器付カードリーダ８にマイナスイオンを発生させることができる。これにより、入室しようとするユーザを快適な気分にさせることができる。
【００３１】
なお、マイナスイオン発生器は、少なくともマイナスイオンが提供する癒し効果等を奏することのできる位置、つまりユーザが識別カードを読み取らせたカードリーダ近傍に設置すればよい。従って、マイナスイオン発生器は、カードリーダ内蔵型でなくても、カードリーダ外付け型でもよいし、カードリーダ近傍に別個に設置するようにしてもよい。
【００３２】
また、本実施の形態では、発生手段としてマイナスイオン発生器の場合を例にしたが、芳香発生器の場合でも上記の通りに構成、動作でき、これにより、入室しようとするユーザを芳香によって快適な気分にさせることができる。
【００３３】
実施の形態２．
図６は、本発明に係る入退室管理システムの実施の形態２におけるシステム全体構成及びブロック構成を示した図である。図１と同じ構成要素には同じ符号を付けて説明を省略する。図６には、図１の構成に加えて、ユーザ情報記憶部１４及び発生器情報記憶部１５を有している。また、本実施の形態では、読取手段として、発生器が内蔵されていない従前からあるカードリーダ５を用いる。また、マイナスイオン又は芳香を発生する発生手段として、発生器７が部屋１の中の複数箇所に設置される。本実施の形態における各発生器７は、芳香を発生させるものとして説明する。本実施の形態では、室内において各ユーザの所在位置の近傍として、各発生器７は、例えば座席位置上方の天井に取り付けられている。なお、図６に示した各発生器７の取付位置及び設置数は、一例であって、後述する効果が得られる位置であれば、図６の例に限る必要はなく、例えば設置する箇所も壁や机上でもよい。
【００３４】
図７は、本実施の形態におけるユーザ情報記憶部１４のデータ構成の一例を示した図である。ユーザ情報は、各利用者を識別する識別情報（ユーザＩＤ）に、当該ユーザが嗜好する芳香を特定する芳香ＩＤ及び当該利用者の座席の位置を特定する情報（座席位置情報）が対応付けして構成される。
【００３５】
図８は、本実施の形態における発生器情報記憶部１５のデータ構成の一例を示した図である。発生器情報は、当該発生器７を識別する発生器ＩＤと、当該発生器７が設置されている場所を特定する設置場所情報とが対応付けして構成される。
【００３６】
本実施の形態においては、カードリーダと発生器とを別の機器として取り扱うので、図４に示したカードリーダ情報から発生器ＩＤを削除すればよい。
【００３７】
次に、本実施の形態において芳香を発生する発生制御処理について図９に示したフローチャートを用いて説明する。なお、実施の形態１と同じ処理には同じ番号を付け説明を適宜省略する。
【００３８】
ユーザがいずれかの部屋１に入室する際に識別カードをカードリーダ５に近づけかざすと、カードリーダ５は、識別カードから当該利用者の識別情報を少なくとも読み取り、その読取データに、自己のカードリーダＩＤを付加して送出する。カードリーダコントローラ２は、接続されたカードリーダ５から読取データが送信されてくると、それを入退室管理サーバ１０へ送る。
【００３９】
入退室管理サーバ１０における読取データ取得部１１がカードリーダ５から送られてきた読取データを取得すると（ステップ１１０）、発生器制御部１２は、読取データに含まれているユーザＩＤに対応した座席位置情報をユーザ情報記憶部１４から取得することで、当該ユーザの座席位置を特定する（ステップ２１０）。そして、発生器制御部１２は、当該ユーザの座席位置に近い発生器７を特定する（ステップ２２０）。
【００４０】
なお、この処理において発生器７を特定できるようにするためには、ユーザ情報における座席位置情報と発生器情報における設置場所情報とに何らかの対応関係を持たせる必要がある。このために、例えば、場所を特定するコードデータを予め設定しておき、座席位置情報及び設置場所情報には、コードデータの中から選択して設定するようにしてもよい。コードデータには、領域に広さに応じて階層関係を持たせてもよい。あるいは、経緯度情報を用いてもよい。更に、本実施の形態における発生器制御部１２は、ユーザ情報を参照することで、当該ユーザが嗜好する芳香を特定する（ステップ２３０）。なお、マイナスイオンを発生させる場合には、この芳香を特定する処理は不要である。
【００４１】
そして、発生器制御部１２は、芳香ＩＤから特定される発生させる芳香の種類及び特定した発生器ＩＤを含む芳香の発生指示情報を送出する（ステップ１３０）。発生器コントローラ４は、受信した発生指示情報に、接続された発生器７に対応する発生器ＩＤが含まれている場合、その発生指示情報に応じて、接続されている発生器７に、指定された芳香を発生させるよう動作制御する。
【００４２】
なお、上記説明では、自分の座席のない部屋１に入室する場合でも、自分の座席近くの発生器７が芳香を発生することになる。従って、発生器制御部１２は、カードリーダ情報を参照して読取データに付加されているカードリーダＩＤから特定される設置場所情報と、読取データに含まれているユーザＩＤから特定される座席位置情報との位置関係に基づいて当該ユーザが自分の座席のある部屋１へ入室する場合に限って芳香を発生させるように制御する。
【００４３】
また、本実施の形態の場合、カードリーダ５に識別カードを読み取らせてから自分の座席への移動時間を考慮して、発生器制御部１２は、識別カードの読取時点から所定時間遅らせて芳香を発生させるように動作制御してもよい。また、扉３から自分の座席までの距離がわかるようであれば、その距離に応じて識別カードの読取時点から芳香を発生させる時間を求めるようにしてもよい。
【００４４】
本実施の形態では、芳香を発生する場合を例にして説明したが、マイナスイオンを発生させる場合についても、芳香の種類を特定する以外、同様に処理すればよい。また、マイナスイオンと芳香の両方を発生させるようにしてもよい。更に、実施の形態１と実施の形態２とを組み合わせて実施してもよい。
【００４５】
また、マイナスイオン又は芳香を発生させる長さ、すなわち識別カードが読み取られてマイナスイオン又は芳香が発生してからの継続時間について設定できるようにしてもよい。実施の形態１のようにカードリーダから発生させる場合には、単発で長い時間の発生は不要であると考えられるが、入室後自分の座席にいる在室中は継続して発生させるようにしてもよい。単発、所定の時間だけ発生、在室中は継続して常時若しくは間欠的に発生させるなど発生の継続時間や方法については、予め設定しておいてもよいし、ユーザ情報に登録しておくなどしてユーザ毎に選択的に設定できるようにしてもよい。
【符号の説明】
【００４６】
１  部屋、２  カードリーダコントローラ、３  扉、４  発生器コントローラ、５  カードリーダ、６  ネットワーク、７  発生器、８  発生器付カードリーダ、１０  入退室管理サーバ、１１  読取データ取得部、１２  発生器制御部、１３  カードリーダ情報記憶部、１４  ユーザ情報記憶部、１５  発生器情報記憶部、２１  ＣＰＵ、２２  ＲＯＭ、２３  ＲＡＭ、２４  ハードディスクドライブ（ＨＤＤ）、２５  ＨＤＤコントローラ、２６  マウス、２７  キーボード、２８  ディスプレイ、２９  入出力コントローラ、３０  ネットワークコントローラ、３１  内部バス、８１  読取面、８２  発生口。
【図１】
2013088053.tif 000003
【図２】
2013088053.tif 000004
【図３】
2013088053.tif 000005
【図４】
2013088053.tif 000006
【図５】
2013088053.tif 000007
【図６】
2013088053.tif 000008
【図７】
2013088053.tif 000009
【図８】
2013088053.tif 000010
【図９】
2013088053.tif 000011